(57)【特許請求の範囲】
【請求項１】
走行車体後部に昇降リンク機構（２７）を介して植付部（４）を昇降可能に吊設し、該植付部（４）の側部に外方向に回動可能に線引きマーカ（１３０）を配置した田植機において、前記線引きマーカ（１３０）を上方に回動させた位置で係止するマーカストッパ（１１０）を設け、前記マーカストッパ（１１０）上部の途中部にロック解除用ワイヤー（１１３）の一端を枢支締結し、該ロック解除用ワイヤー（１１３）は、昇降リンク機構（２７）を操作し、作業走行変速用副変速を操作する植付昇降兼作業走行変速用副変速レバー（３１）と連結し、該植付昇降兼作業走行変速用副変速レバー（３１）の左右操作により、該マーカストッパ（１１０）の係合部（１１０ａ）が上方へ回動すべく構成し、該マーカストッパ（１１０）を運転部からオペレータが解除操作可能とし、該マーカストッパ（１１０）の係合部（１１０ａ）に、第一ロック凹部（１１０ｃ）と第二ロック凹部（１１０ｄ）を形成し、該植付部（４）を上昇させると、該植付部（４）と連動したマーカ引上用ワイヤ（９３）が引っ張られ、線引きマーカ（１３０）が上昇回転し、該線引きマーカ（１３０）のローラ（１０６）が第一ロック凹部（１１０ｃ）に係合され、該植付部（４）の両外端より外方へ広げられた作業待機位置となり、更に、植付部（４）を上昇させた位置で、オペレーターが前記線引きマーカ（１３０）を機体左右中央側へ引き寄せるように手で持って回動すると、前記ローラ（１６０）は前記第二ロック凹部（１１０ｄ）内に係合され、サイドバンパー（８５）の両端よりも内側の収納位置となり、更に、前記線引きマーカ（１３０）を引き上げた収納位置で、線引きマーカ（１３０）の支持杆（９９）の途中部を、マーカ収納フック（１１６）で係止することにより、格納状態に折り畳んだ状態の左右幅よりも内側に位置させた格納位置となることを特徴とする田植機の線引きマーカ。
【請求項２】
請求項１記載の田植機の線引きマーカにおいて、前記走行車体の運転席の後方に施肥機（３３）を配し、前記線引きマーカ（１３０）を上方に回動させた収納位置で、線引きマーカ（１３０）上部と施肥機（３３）が後面視でオーバーラップしない位置としたことを特徴とする田植機の線引きマーカ。
【発明の詳細な説明】
【０００１】
【発明の属する技術分野】
本発明は、乗用田植機の植付部の側部に装着されて、圃場に線引きを行う線引きマーカの構成に関する。
【０００２】
【従来の技術】
従来から、乗用型の田植機における線引きマーカとして、一本の棒状の先端に線引き用のヘラ状のプレートを固設して植付部の左右両側部に回動可能に設けていた。該線引きマーカの回動基部の近傍にはロック機構が設けられ、線引きマーカを上方へ持ち上げた位置でロックし、オペレータの手元のレバーによってロック解除操作を行い、線引きマーカを外方へ倒して線引き作業が行えるようにしていた。また、線引きマーカの上部途中部をフックで引っかけて機体幅内に収納し、圃場外での移動時や格納時等に線引きマーカが外方へ広がらないようにした技術も公知となっている。
【０００３】
【発明が解決しようとする課題】
しかし、前記線引きマーカをロック機構で収納ロックした状態で、圃場端での回行や畦際の植付け作業を行うと、線引きマーカ先端が植付幅より外方向に位置し邪魔となっていた。つまり、前記線引きマーカをロック機構でロックした位置は垂直上方に回動した位置ではなく、若干外側へ広がった位置であり、線引きマーカ上部のヘラ部分は斜め外下方へ突出しており、しかも、自重でヘラ部分を支持する棒状体が撓み、畦際等の植付け作業や圃場端での回行時に線引きマーカが畦上の樹木や壁等の障害物に引っかけて、折り曲がって変形し、線引きマーカを下方へ回動させても正確な線引き作業ができなかったり、再度この折れ曲がった線引きマーカを上方へ回動させてもロック機構でのロックやフックへ引っかけることができないことがあった。また、畦際等の植付け作業においては手作業にて線引きマーカをフックに引っかけて苗載台より外側へ広がらないようにして植付作業を行うこともできたが、次の条へ移って植付け作業を開始する時に、オペレータが手元のレバーの操作によってロック解除しても、線引きマーカは外方へ倒れず、線引きができないことがあった。また、線引きマーカをフックに引っかけて、苗載台やサイドバンパーより外方へはみ出ないように機体幅内に収納させた位置では線引きマーカが施肥機等の他の部材に干渉させないように注意して収納する必要があり煩雑なものであった。
【０００４】
【課題を解決するための手段】
本発明の解決しようとする課題は以上の如くであり、次に該課題を解決するための手段を説明する。
請求項１においては、走行車体後部に昇降リンク機構（２７）を介して植付部（４）を昇降可能に吊設し、該植付部（４）の側部に外方向に回動可能に線引きマーカ（１３０）を配置した田植機において、前記線引きマーカ（１３０）を上方に回動させた位置で係止するマーカストッパ（１１０）を設け、前記マーカストッパ（１１０）上部の途中部にロック解除用ワイヤー（１１３）の一端を枢支締結し、該ロック解除用ワイヤー（１１３）は、昇降リンク機構（２７）を操作し、作業走行変速用副変速を操作する植付昇降兼作業走行変速用副変速レバー（３１）と連結し、該植付昇降兼作業走行変速用副変速レバー（３１）の左右操作により、該マーカストッパ（１１０）の係合部（１１０ａ）が上方へ回動すべく構成し、該マーカストッパ（１１０）を運転部からオペレータが解除操作可能とし、該マーカストッパ（１１０）の係合部（１１０ａ）に、第一ロック凹部（１１０ｃ）と第二ロック凹部（１１０ｄ）を形成し、該植付部（４）を上昇させると、該植付部（４）と連動したマーカ引上用ワイヤ（９３）が引っ張られ、線引きマーカ（１３０）が上昇回転し、該線引きマーカ（１３０）のローラ（１０６）が第一ロック凹部（１１０ｃ）に係合され、該植付部（４）の両外端より外方へ広げられた作業待機位置となり、更に、植付部（４）を上昇させた位置で、オペレーターが前記線引きマーカ（１３０）を機体左右中央側へ引き寄せるように手で持って回動すると、前記ローラ（１６０）は前記第二ロック凹部（１１０ｄ）内に係合され、サイドバンパー（８５）の両端よりも内側の収納位置となり、更に、前記線引きマーカ（１３０）を引き上げた収納位置で、線引きマーカ（１３０）の支持杆（９９）の途中部を、マーカ収納フック（１１６）で係止することにより、格納状態に折り畳んだ状態の左右幅よりも内側に位置させた格納位置となるものである。
請求項２においては、請求項１記載の田植機の線引きマーカにおいて、前記走行車体の運転席の後方に施肥機（３３）を配し、前記線引きマーカ（１３０）を上方に回動させた収納位置で、線引きマーカ（１３０）上部と施肥機（３３）が後面視でオーバーラップしない位置としたものである。
【０００５】
【発明の実施の形態】
次に、本発明の実施の形態を説明する。図１は本発明の植付フレームを備えた田植機の全体側面図、図２は分割苗載台を主苗載台上に収納した後面図、図３は植付部の側面図、図４はサイドバンパーに支持させた線引きマーカを示す正面図一部破断図、図５は収納位置の線引きマーカの正面図、図６は線引きマーカの支持構成を示す部分正面図、図７は同じく部分平面部、図８はマーカストッパの正面図、図９は同じく斜視図、図１０は収納位置の線引きマーカと施肥機との位置関係を示す後面図である。
【０００６】
まず、本発明の植付フレームを８条の乗用田植機に適用した実施例について図１より全体構成から説明する。乗用田植機Ａは走行部１の後部に昇降リンク機構２７を介して植付部４が配置され、該走行部１は車体フレーム３の前部上方にエンジン２を搭載し、前下部にフロントアクスルケースを介して前輪６を支持させると共に、後部にリヤアクスルケース７を介して後輪８を支持している。そして、前記エンジン２はボンネット９に覆われ、該ボンネット９の両側に予備苗載台１０・１０を配設し、該ボンネット９後部のダッシュボード５上に操向ハンドル１４を配置し、該ボンネット９両側とその後部の車体フレーム３上を車体カバー１２で覆い、操向ハンドル１４後方位置に座席１３を配置し、ボンネット９の両側と座席１３前部と、座席１３左右両側及び座席１３後方をステップとしている。
【０００７】
そして、前記運転席１３の側部には走行変速レバー３０や植付昇降兼作業走行変速用副変速レバー３１や植付感度調節レバーが配置され、ダッシュボード下部のステップ上には主クラッチペダル３２や左右ブレーキペダルが配設され、前記座席１３後方には８条用の施肥機３３が配設されている。
【０００８】
また、前記植付部４は図１、図３に示すように、苗載台１６や植付爪１７やセンターフロート３４やサイドフロート３５等から構成されており、前記苗載台１６は前高後低に配設して、苗載台１６の下部は下ガイドレール１８、前面の上部は上ガイドレール１９によって左右往復摺動自在に支持し、該下ガイドレール１８及び上ガイドレール１９は植付センターケース２０より植付フレーム２３等を介して支持されている。そして、植付センターケース２０より左右両側方へ図示せぬ連結パイプを突設してチェーンケース２１を固設し、該チェーンケース２１・２１・・・を平行に後方へ突出して、該チェーンケース２１の後部に一方向に回転させるロータリーケース２２を配置し、該ロータリーケース２２の両側に一対の植付爪１７・１７を配置している。こうして、前進走行とともに苗載台１６を左右に往復摺動して、この往復動に同期させて植付爪１７を駆動して一株分の苗を切り出し、連続的に植え付け作業を行うように構成している。
【０００９】
また、前記植付センターケース２０の前部にローリング支点軸を介して前記昇降リンク機構２７と連結され、該昇降リンク機構２７はトップリンク２５やロワーリンク２６等より構成され、座席１３下方に配置した昇降シリンダ２８によって植付部４を昇降できるようにしている。
【００１０】
そして、前記苗載台１６は、図２に示すように、進行方向右外側の二条分の苗載台を分割して分割苗載台１６Ｄとし、機体中央側の固定された六条分の苗載台を主苗載台１６Ｍとしており、前記分割苗載台１６Ｄを着脱可能に構成して、該分割苗載台１６Ｄを取り外して主苗載台１６Ｍの後部上に載置して係合し、収納可能に構成している。
【００１１】
また、図４〜図６に示すように、左右外側のチェーンケース２１の前上方にはサイドバンパー８５が左右にスライド可能に支持されている。前記チェーンケース２１前上部にステー１２１等を介して第二Ｕ字ガイド９７を配置する。また、前記苗載台１６を支持する植付フレーム２３の縦杆２３ｂ下部よりステー８８を介して第一Ｕ字ガイド９６を配置する。該第一Ｕ字ガイド９６と第二Ｕ字ガイド９７は左右軸芯が等しく、かつ前後の傾きが異なり、該第一Ｕ字ガイド９６と第二Ｕ字ガイド９７内に正面視略Ｌ字状のサイドバンパー８５の長パイプ８５ｃが摺動可能に挿通される。前記サイドバンパー８５の長パイプ８５ｃの外側端からは、図３に示すように、短パイプ部８５ｄを後ろ斜め下方に延出して、下ガイドレール１８端部の外方へ延出し、畦際での植付け作業や畦越えなどの際には、前記苗載台１６下部を側方からの衝突より保護するようにしている。
【００１２】
また、前記長パイプ部８５ｃの上面からヒレ部８５ａを垂設し、該ヒレ部８５ａの左右方向に開口するガイド溝８５ｂに、前記Ｕ型ガイド９７に螺合するノブネジ８６をガイド溝８５ａ内に挿通螺装し、ノブネジ８６を締めてヒレ部８５ａを固定でき、緩めてサイドバンパー８５を左右に摺動させた後所定位置で固定できるようにしている。なお、サイドバンパー８５を図６の二点鎖線のように収納するときには、延長した下ガイドレールは前方へ回動して収納され、前記苗載台１６の収納と合わせて左右幅を狭めるようにしている。
【００１３】
この左右方向の最外側に突出されるサイドバンパー８５に線引きマーカ１３０が収納・張出可能に支持される。即ち、図４〜図７に示すように、サイドバンパー８５の長パイプ部８５ｃの外端部の近傍位置に、線引きマーカ１３０の起伏板１００が枢支軸１０１を介して枢支されている。該線引きマーカ１３０は起伏板１００に固設される支持杆９９、支持杆９９端部をＬ字状に屈曲させてその先端に固設するヘラ状の線引プレート１３１より構成し、該線引きマーカ１３０の全長は張り出したときに、苗載台１６の左右中心から線引プレート１３１の長さを植付幅に略等しくなるようにしている。
【００１４】
また、前記枢支軸１０１は、苗載台１６の前上がり傾斜に対して直交する略前後向きであり、線引きマーカ１３０が苗載台１６下部の直前位置で左右に回動可能に支持される。この枢支軸１０１の後部の外周にはマーカ用コイルバネ１０３が外嵌され、該線引きマーカ１３０を外方へ張出す方向へ付勢し、前記線引きプレート１３１端部が土中に突っ込み線を引けるようにしている。この位置を線引きマーカ１３０の張出位置とする。
【００１５】
また、前記起伏板１００に係止具１０４が突設され、該係止具１０４に先端部をバネとするマーカ引上用ワイヤ９３が係止される。該起伏板１００前面より前方にローラ１０６が枢支され、該ローラ１０６を長パイプ部８５ｃ上方に位置させて後述するマーカストッパ１１０の被係合部としている。
【００１６】
前記マーカストッパ１１０は、図８、図９に示すように、正面視で略「く」字状で平面視クランク状に形成した二枚の板部材を、その一側面を合わせてスポット溶接等で接合固定し、この接合側を係合部１１０ａとし、他側は平面視凹状に形成して枢支部１１０ｂとしている。前記係合部１１０ａの下側には第一ロック凹部１１０ｃと第二ロック凹部１１０ｄを形成し、係合部１１０ａの外端部を傾斜状に当接部１１０ｅを形成している。
【００１７】
前記枢支部１１０ｂは前記サイドバンパー８５を前後方向に跨ぎ、支点軸１１１で枢支し、該支点軸１１１前部の突出部にストッパ用コイルバネ１１２を外嵌し、係合部１１０ａが下方（前記ローラ１０６側）へ回動するように付勢している。
【００１８】
更に、マーカストッパ１１０上部の途中部にロック解除用ワイヤー１１３の一端が挟持金具及びピンを介して締結している。該ロック解除用ワイヤー１１３は前述した植付昇降兼作業走行変速用副変速レバー３１に連結され、該植付昇降兼作業走行変速用副変速レバー３１の左右操作により、マーカストッパ１１０の係合部１１０ａが上方へ回動するようにしている。
【００１９】
このような構成において、油圧シリンダー２８を駆動させて植付部４を上昇させるとマーカ引上用ワイヤ９３が引っ張られ、線引きマーカ１３０が上昇回転して引き上げられる。この時、起伏板１００のローラ１０６が第一ロック凹部１１０ｃに係合され、図４の二点鎖線の線引きマーカ１３０’のように、植付部４の両外端より外方へ広げられた状態の位置まで引き上げられる。この位置を作業待機位置として、線引きプレート１３１は土中より上方に完全に抜け出し、ロック解除後に速やかに土中へ突っ込めるようにしている。
【００２０】
これは条数が多くなるほど線引きマーカ１３０も長くなるため、線引きプレート１３１の上昇と下降に要する時間が長くなるため、即座に作業に移行できるように、線引きマーカ１３０の上昇角度を小さくしているのである。
【００２１】
さらに、植付部４を上昇させた位置で、オペレーターが前記線引きマーカ１３０を機体左右中央側へ引き寄せるように手で持って回動すると、ローラ１６０は作業待機位置から第二ロック凹部１１０ｄ内に係合され、線引きマーカ１３０は略上下方向となり、この位置を収納位置としている。この収納位置では線引きマーカ１３０はサイドバンパー８５の両端よりも内側、つまり、機体左右幅内に位置し、回行時や畦際の植付け作業時等に線引きマーカ１３０は畦上の樹木や壁等の障害物に当たらないようにし、線引きマーカ１３０を折り曲げて変形させることがないようにしている。但し、本発明では係止位置を二箇所としているが、ロック凹部を更に３箇所以上設けることも可能である。
【００２２】
そして、この線引きマーカ１３０の作業待機位置と収納位置の何れの位置においても、植付昇降兼作業走行変速用副変速レバー３１を左右何れか一方に操作すると、操作した側のロック解除用ワイヤー１１３が引っ張られ、マーカストッパ１１０が上方へ回動されてロック解除され、第一ロック凹部１１０ｃ若しくは第二ロック凹部１１０ｄの何れか位置に係止したローラ１０６が外れ、線引きマーカ１３０の自重とマーカ用コイルバネ１０３の付勢力で外下方に張り出される。さらに、マーカストッパ１１０先端部の当接部１１０ｅがローラ１０６に当たり、ストッパ用コイルバネ１１２での付勢力が線引きマーカ１３０を下方に回動するように働き、線引きマーカ１３０が浮き上がることなく、常に圃場に突っ込んで確実に線を引くようにしているのである。
【００２３】
そして、前記線引きマーカ１３０を引き上げた収納位置で、線引きマーカ１３０の支持杆９９の途中部をマーカ収納フック１１６で係止することによって更に機体左右内側へ回動することができ、この位置を格納位置とする。この格納位置の線引きマーカ１３０は折り畳んだ状態の左右幅よりも内側に位置させることができ、走行時に邪魔にならず、格納時にスペースを小さくできるのである。前記マーカ収納フック１１６は、図５に示すように、苗載台１６を支持するフレームを構成する縦杆２３ａ上部の取付板１１５に取付けられる。該取付板１１５は前記上ガイドレール１９を左右に摺動可能に支持するためのシュー２４を取り付けたものである。
【００２４】
具体的には、前記取付板１１５より前方に枢支軸１１７を突設し、該枢支軸１１７を中心として回動可能にマーカ収納フック１１６が支持される。該マーカ収納フック１１６は弾性を有する線形鋼材を屈曲成形したものであり、一端部がコイル状に形成して前記枢支軸１１７外周に巻回するコイルバネ部１１６ｂとし、他端をコイルバネ部１１６ｂより接線方向に伸延して端部をＵ字状に屈曲させてフック部１１６ａとしている。前記コイルバネ部１１６ｂを成形した端部を取付板１１５に係止するとフック部１１６ａは略上内方に突設される。
【００２５】
そして、前記コイルバネ部１１６ｂの付勢力に抗してフック部１１６ａを外方に移動させることで、収納位置まで回動した線引きマーカ１３０の支持杆９９の途中部を係止できるのである。
【００２６】
該フック部１１６ａにて線引きマーカ１３０を係止しコイルバネ部１１６ｂにて上内方に付勢することで、走行時等において振動しても線引きマーカ１３０が外れることがなく、サイドバンパー８５を前述した如く内方へ摺動すると線引きマーカ１３０も内方へ移動されるが、この移動方向と前記フック部１１６ａの内上方への回動方向が等しく、図５の二点鎖線のように、フック部１１６ａから線引きマーカ１３０が外れることがないのである。
【００２７】
そして、線引きマーカ１３０は、上方に回動させた位置では図１に示すように、その上部が施肥機３３のホッパとが側面視で重複した位置となるが、この線引きマーカ１３０の収納位置及び格納位置では、図１０に示す後面視のように、線引きプレート１３１と施肥機３３外端部との間に隙間Ｒが設けられ、植付部４を昇降させても、線引きマーカ１３０は施肥機３３に当たることがなく、後面視では干渉しない位置としている。よって、線引きマーカ１３０を苗載台１６幅（機体幅）内に収納しても他の車体フレーム３や施肥機３３等に干渉することなく、折り畳み式といった複雑な構成とする必要がなく、コストを抑えられるのである。
【００２８】
【発明の効果】
本発明は以上の如く構成したので、次のような効果を奏するのである。
請求項１に記載の如く、走行車体後部に昇降リンク機構（２７）を介して植付部（４）を昇降可能に吊設し、該植付部（４）の側部に外方向に回動可能に線引きマーカ（１３０）を配置した田植機において、前記線引きマーカ（１３０）を上方に回動させた位置で係止するマーカストッパ（１１０）を設け、前記マーカストッパ（１１０）上部の途中部にロック解除用ワイヤー（１１３）の一端を枢支締結し、該ロック解除用ワイヤー（１１３）は、昇降リンク機構（２７）を操作し、作業走行変速用副変速を操作する植付昇降兼作業走行変速用副変速レバー（３１）と連結し、該植付昇降兼作業走行変速用副変速レバー（３１）の左右操作により、該マーカストッパ（１１０）の係合部（１１０ａ）が上方へ回動すべく構成し、該マーカストッパ（１１０）を運転部からオペレータが解除操作可能とし、該マーカストッパ（１１０）の係合部（１１０ａ）に、第一ロック凹部（１１０ｃ）と第二ロック凹部（１１０ｄ）を形成し、該植付部（４）を上昇させると、該植付部（４）と連動したマーカ引上用ワイヤ（９３）が引っ張られ、線引きマーカ（１３０）が上昇回転し、該線引きマーカ（１３０）のローラ（１０６）が第一ロック凹部（１１０ｃ）に係合され、該植付部（４）の両外端より外方へ広げられた作業待機位置となり、更に、植付部（４）を上昇させた位置で、オペレーターが前記線引きマーカ（１３０）を機体左右中央側へ引き寄せるように手で持って回動すると、前記ローラ（１６０）は前記第二ロック凹部（１１０ｄ）内に係合され、サイドバンパー（８５）の両端よりも内側の収納位置となり、更に、前記線引きマーカ（１３０）を引き上げた収納位置で、線引きマーカ（１３０）の支持杆（９９）の途中部を、マーカ収納フック（１１６）で係止することにより、格納状態に折り畳んだ状態の左右幅よりも内側に位置させた格納位置となるので、線引きマーカを外側に張り出した張出位置より、少し上方へ持ち上げた待機位置や、更に上方に持ち上げた収納位置で係止することが可能となり、状況に応じて線引きマーカの上昇位置角度を変更することが可能となる。
そして、この待機位置では線引きマーカの上昇高さは低いので、圃場端で回行して線引きを行うときに、速やかに線引きマーカが下降して、植付タイミングに遅れることなく、作業性を向上できるのである。そして、収納位置とすることで線引きマーカを植付の幅内に納めることが可能となり、畦際等の植付け作業を行っても、畦上の木や壁等の障害物に線引きマーカが当たらず、線引きマーカを接触させて折り曲げて破損し、再び線引きマーカを下方へ回動させた時に線引き位置がズレるといった不具合を生じさせることがないのである。
更に、解除操作するだけで、線引きマーカを持ち上げて係止した待機位置または収納位置より下降することが可能であり、操作の手間が省けて効率よく作業ができる。
【００２９】
また、この線引きマーカ１３０の作業待機位置と収納位置の何れの位置においても、植付昇降兼作業走行変速用副変速レバー３１を左右何れか一方に操作すると、操作した側のロック解除用ワイヤー１１３が引っ張られ、マーカストッパ１１０が上方へ回動されてロック解除され、第一ロック凹部１１０ｃ若しくは第二ロック凹部１１０ｄの何れか位置に係止したローラ１０６が外れ、線引きマーカ１３０の自重とマーカ用コイルバネ１０３の付勢力で外下方に張り出されるのである。
【００３０】
請求項２記載の如く、前記走行車体の運転席の後方に施肥機（３３）を配し、前記線引きマーカ（１３０）を上方に回動させた収納位置で、線引きマーカ（１３０）上部と施肥機（３３）が後面視でオーバーラップしない位置としたので、畦際等の植付け作業時や圃場外での移動時に、線引きマーカを障害物に当てて破損しないように、昇降回動させて機体幅内に収納しても、線引きマーカと施肥機とが干渉することがなく、線引きマーカが破損するおそれがない。
また、この線引きマーカを施肥機等に当てないように注意を払って収納する必要がなく、収納操作を手軽に行うことができ、作業性が向上される。
【図面の簡単な説明】
【図１】  本発明の植付フレームを備えた田植機の全体側面図である。
【図２】  分割苗載台を主苗載台上に収納した後面図である。
【図３】  植付部の側面図である。
【図４】  サイドバンパーに支持させた線引きマーカを示す正面図一部破断図である。
【図５】  収納位置の線引きマーカの正面図である。
【図６】  線引きマーカの支持構成を示す部分正面図である。
【図７】  同じく部分平面部である。
【図８】  マーカストッパの正面図である。
【図９】  同じく斜視図である。
【図１０】  収納位置の線引きマーカと施肥機との位置関係を示す後面図である。
【符号の説明】
Ｒ    隙間
４    植付部
１３  運転席
１６  苗載台
２７  昇降リンク機構
３３  施肥機
８５  サイドバンパー
１１０  マーカストッパ
１１０ｃ  第一ロック凹部
１１０ｄ  第二ロック凹部
１３０  線引きマーカ
【図１】
0004068757.tif 000002
【図２】
0004068757.tif 000003
【図３】
0004068757.tif 000004
【図４】
0004068757.tif 000005
【図５】
0004068757.tif 000006
【図６】
0004068757.tif 000007
【図７】
0004068757.tif 000008
【図８】
0004068757.tif 000009
【図９】
0004068757.tif 000010
【図１０】
0004068757.tif 000011